(57)【要約】【課題】  簡易な構成で、長時間使用することができる骨格矯正装置の提供。【解決手段】  腰椎矯正装置１は、傾斜して配置されたベット部材１３を有している。人間は、ベット部材１３に固定部材１５によってベット部材１３に固定される。傾斜したベット部材１３に人間を固定することによって、人間の身体は、自らの自重Ｆに基づく足底方向への引っ張り力ｆを受けることになる。このように、足底方向への引っ張り力ｆによって身体を足底方向へ引っ張ることによって、腰椎の矯正を行うことが可能となる。腰椎矯正装置１は、ベット部材１３に人間の身体を固定部材１５によって固定するという簡易な構成によって、足底方向の引っ張り力を得ることを可能としている。【選択図】 図１
0003182315.tif 000002
【実用新案登録請求の範囲】
【請求項１】
身体を載置する傾斜した載置面を有する平板状の載置部材であって、少なくとも頭部から足部まで載置する長さを有する載置部材、
前記載置部材に載置された身体を前記載置面に固定する固定部材であって、前記載置部材の側部に並列に直接的又は間接的に設けられた複数の帯状部材を有する固定部材、
前記載置部材の側部に並列に設けられた前記帯状部材の側部側の前記帯状部材から頭部側の前記帯状部材までの懸架するように、前記載置部材の側部に配置される補助取っ手部材、
を有する骨格矯正装置。
【請求項２】
請求項１に係る骨格矯正装置において、
前記帯状部材が前記身体を当該身体の肋骨付近で前記載置面に固定して、前記載置面に載置された身体が下方若しくは斜め下方に移動することに対向する力を発生し、前記載置面に載置された身体の頭部側が上方又は斜め上方に向かうように、当該身体を前記載置面に固定する骨格矯正装置。
【請求項３】
請求項１又は請求項２に係る骨格矯正装置において、
前記固定部材は、
前記載置部材の側部に並列に回動可能なように設けられること、
を特徴とする骨格矯正装置。
【請求項４】
請求項１〜請求項３に係るいずれかの骨格矯正装置において、
前記帯状部材は、
身体の肋骨付近と接触する部分において、当該帯状部材の形状が固定されていること、
を特徴とする骨格矯正装置。
【請求項５】
請求項１〜請求項４に係るいずれかの骨格矯正装置において、
前記固定部材は、
前記載置面に設けられる面状の滑り止め部材を有すること、
を特徴とする骨格矯正装置。
【請求項６】
請求項５に係る骨格矯正装置において、
前記滑り止め部材は、
前記載置面の前記身体の上半身と接触する部分を含む位置に設けられること、
を特徴とする骨格矯正装置。
【考案の詳細な説明】
【技術分野】
【０００１】
本考案は、骨格矯正装置であって、特に、腰椎を伸ばすことによって容易に骨格を矯正するものに関する。
【背景技術】
【０００２】
従来の骨格矯正装置を図１０に示す健康器具１０１に基づき説明する。健康器具１０１は、エアバッグの内部に枠体を設けてベッド面を形成し、空気圧送手段として空気ポンプを用い、エアバッグにガイドを設けて支柱に取り付け、固定具が足首を固定し、身長測定器を設けた健康器具である。健康器具１０１は、エアバッグ１０２、ベッド面１０２ａ、ガイド１０２ｂ、空気取入口１０２ｃ、保護部１０２ｄ、枠体１０３、支柱１０４、固定具１０６、空気ポンプ（図示せず）、及び操作部（図示せず）を有している。
【０００３】
健康器具１０１では、空気を注入して膨張すると三角柱を横にした形状となエアバッグ１０２を設け、エアバッグ１０２の内部に矩形の枠体１０３を設けてベッド面１０２ａを形成する。エアバッグ１０２のベッド面１０２ａの上方に持ち上げられる側には、人の足首を脱着自在に固定するための固定具１０６を設ける。
固定具１０６を設けた側のエアバッグ１０２の端部に近接して所定高さの支柱１０４を設け、エアバッグ１０２の支柱１０４の面にリング状のガイド１０２ｂを２つ設け、ガイド１０２ｂに支柱１０４が貫通するようにして、ガイド１０２ｂが支柱１０４に沿って上下動できるようにする。エアバッグ１０２の一部には内部と外部が連通する空気取入口１０２ｃを設け、エアバッグ１０２の近くに空気ポンプを設置して空気取入口１０２ｃから空気を送り込むように接続する。空気ポンプの操作部は、空気ポンプから離れたベッド面１０２ａ上から操作できる。また、エアバッグ１０２の頭部側には、エアバッグの内部を別区画となるように仕切った保護部１０２ｄを設ける。
【先行技術文献】
【特許文献】
【０００４】
【特許文献１】特開２００３−１９０１９９
【考案の概要】
【考案が解決しようとする課題】
【０００５】
前述の健康器具１０１には、次のような問題点がある。健康器具１０１では、使用に際して、使用者が頭が斜め下方となる傾斜した状態となる。このため、上半身、特に頭に血が上ることとなり、長時間使用することができない、という問題がある。また、上半身に血が上ることから、心臓に負担がかかるという問題点もある。さらに、長時間の使用が難しいことから、短時間しか身体を引っ張ることができず、結果的に、所定の筋肉等の弛緩という効果を得にくいという問題点もある。
【０００６】
さらに、エアバック１０２を用いるため、当該エアバック１０２に空気を送り込むための空気ポンプを設ける必要がある。結果的に、健康器具１０１が大がかりなものとなり、個人が容易に所有し使用できるものではない、という問題点もある。
【０００７】
そこで、本考案は、簡易な構成で、長時間使用することができる骨格矯正装置を提供することを目的とする。
【考案の効果】
【０００８】
本考案に関する課題を解決するための手段及び考案の効果を以下に示す。
【０００９】
本考案に係る骨格矯正装置は、身体を載置する載置面を有する載置部材、前記載置部材に載置された身体を前記載置面に固定する固定部材、を有する骨格矯正装置であって、前記載置部材は、前記載置面が傾斜しており、前記固定部材は、前記載置面に載置された身体の頭部側が上方又は斜め上方に向かうように、当該身体を前記載置面に固定する。
【００１０】
これにより、身体の頭部側が上方又は斜め上方に向かうように、傾斜した載置面に固定することができる。したがって、人間の自重により、骨格を傾斜面に沿った下方へ引っ張ることができる。よって、頭部側が上方又は斜め上方に向いているので、長時間、使用ができるので、効果的な骨格矯正が可能となる。
【００１１】
本考案に係る骨格矯正装置では、前記固定部材は、前記載置面に載置された身体が下方若しくは斜め下方に移動することに対向する力を発生する。
【００１２】
これにより、身体を載置面に固定することができる。
【００１３】
本考案に係る骨格矯正装置では、前記固定部材は、前記身体を当該身体の肋骨付近で固定する。
【００１４】
これにより、身体に負担を与えることなく身体を載置面に固定することができる。
【００１５】
本考案に係る骨格矯正装置では、前記固定部材は、前記載置面の側部に直接的又は間接的に設けられた帯状部材によって、前記身体を前記載置面に固定する。
【００１６】
これにより、簡易な構成で、身体を載置面に固定することができる。
【００１７】
本考案に係る骨格矯正装置では、前記帯状部材は、身体の肋骨付近と接触する部分において、当該帯状部材の形状が固定されている。
【００１８】
これにより、人間は帯状部材の形状が固定されている部分を支えとして利用できるの。よって、長時間の使用が可能となる。
【００１９】
本考案係る骨格矯正装置では、前記固定部材は、前記載置面に設けられる面状の滑り止め部材を有する。
【００２０】
これにより、簡易な構成で、身体を載置面に固定することができる。
【００２１】
本考案に係る骨格矯正装置では、前記滑り止め部材が、前記載置面の前記身体の上半身と接触する部分を含む位置に設けられる。
【００２２】
これにより、簡易な構成で、身体の上半身を載置面に固定することができ、下半身は開放された状態とすることができる。よって、人間の自重により、主に下半身の骨格を傾斜面に沿った下方へ引っ張ることができる。つまり、主として下半身の骨格を矯正することができる。
【００２３】
ここで、請求項に記載されている構成要素と実施例における構成要素との対応関係を示す。骨格矯正装置は腰椎矯正装置１、３、５に、載置部材はベット部材１３に、固定部材は固定部材１５、滑り止めシート１４、固定部材３５に、それぞれ該当する。
【００２４】
帯状部材は固定ベルト１５１及びベルト付き固定枠３５１に、滑り止め部材は滑り止めシート１４に、それぞれ該当する。
【００２５】
載置面は、ベット１３１が形成するベット面に該当する。
【００２６】
「肋骨付近」とは、肋骨が存在する位置をいい、好ましくは、脇の下から腰までの肋骨側部をいう。
【図面の簡単な説明】
【００２７】
【図１】本考案における腰椎矯正装置１の概略を示した図である。
【図２】本考案における腰椎矯正装置１の正面図である。
【図３】図２における腰椎矯正装置１からベッド部材１３を取り除いた図である。
【図４】図２における腰椎矯正装置１の側面図である。
【図５】図２における腰椎矯正装置１の背面図である。
【図６】固定部材１５を示した図である。
【図７】本考案における腰椎矯正装置３の固定部材３５を示した図である。
【図８】本考案における腰椎矯正装置５の正面図である。
【図９】滑り止め部材の他の実施形態を示す図である。
【図１０】従来の骨格矯正装置である健康器具１０１を示した図である。
【考案を実施するための形態】
【００２８】
本考案における骨格矯正装置の実施例を以下において説明する。
【実施例１】
【００２９】
１．腰椎矯正装置１の概要
本考案に係る骨格矯正装置の一つである腰椎矯正装置１の概要を図１を用いて説明する。なお、図１は腰椎矯正装置１の概略を示したものであり、実際の腰椎矯正装置１の構成とは異なる部分がある。
【００３０】
腰椎矯正装置１は、傾斜して配置されたベット部材１３を有している。人間は、固定部材１５によってベット部材１３に固定される。傾斜したベット部材１３に人間を固定することによって、人間の身体は、自らの自重Ｆに基づく足底方向への引っ張り力ｆを受けることになる。このように、足底方向への引っ張り力ｆによって身体を足底方向へ引っ張ることによって、腰椎の矯正を行うことが可能となる。腰椎矯正装置１は、ベット部材１３に人間の身体を固定部材１５によって固定するという簡易な構成によって、足底方向の引っ張り力を得ることを可能としている。
【００３１】
２．腰椎矯正装置１の構成
腰椎矯正装置１の構成を図２〜図８を用いて説明する。図２は腰椎矯正装置１の前面図、図３は図２の前面図に示す腰椎矯正装置１からベット部材１３（後述）及び固定部材１５（後述）を取り除いた図、図４は図２の腰椎矯正装置１の左側面図、及び図５は図２の腰椎矯正装置１の背面図である。
【００３２】
図２に示すように、腰椎矯正装置１は、フレーム部材１１、ベッド部材１３、滑り止めシート１４、固定部材１５、補助取っ手部材１７、及び足置き部材１９を有している。以下において、各構成について詳細に説明する。
【００３３】
２．１．フレーム部材１１
フレーム部材１１の構成を図３に基づき説明する。フレーム部材１１は、ベット部材１３を載置するとともに、腰椎矯正装置１を支えるための部材である。
【００３４】
フレーム部材１１は、右傾斜柱１１１、左傾斜柱１１２、立柱１１３、立柱取り付け棒１１４、筋交い１１５、筋交い取付け棒１１６、前固定棒１１７、後固定棒１１８（図示せず）を有している。
【００３５】
右傾斜柱１１１及び左傾斜柱１１２は、ベット部材１１を取り付けるための枠構造として機能する。右傾斜柱１１１及び左傾斜柱１１２は、前固定棒１１７の外側パイプ１１７ａ（後述）に取り付けられている。
【００３６】
立柱１１３は、外側柱１１３ａ及び内側柱１１３ｂより構成されている。図４に示すように、外側柱１１３ａは、一つの固定孔（図示せず）を有している。また、内側柱１１３ｂは、複数の調節孔１１３ｃを有している。外側柱１１３ａは、内側柱１１３ｂの上側の一部を内部に収納する。これにより、立柱１１３の高さを調節することができる。なお、立柱１１３の高さの調節及びその固定は、外側柱１１３ａの固定孔と、内側柱１１３ｂの調節孔１１３ｃの一つとが合うように外側柱１１３ａ及び内側柱１１３ｂを位置させて、合わせた固定孔及び調節孔１１３ｃに固定ボルト１１３ｄを貫通させることにより行う。
【００３７】
内側柱１１３ｂは、下端にアングル状の凸部１１３ｅを有している。凸部１１３ｅには、筋交い１１５を取り付けるための固定孔（図示せず）が設けられている。また、図５に示すように、内側柱１１３ｂは、後固定棒１１８の外側パイプ１１８ａ（後述）に取り付けられている。
【００３８】
図３に示すように、立柱１１３の外側柱１１３ａは、上端に、立柱取り付け棒１１４を貫通させるための孔を有している。立柱取り付け棒１１４は、立柱１１３の外側柱１１３ａに設けられた孔を貫通した上で、立柱１１３の外側柱１１３ａに固定される。
【００３９】
また、立柱取り付け棒１１４は、右傾斜柱１１１及び左傾斜柱１１２に設けられた立柱取り付け棒用孔（図示せず）を介して、右傾斜柱１１１及び左傾斜柱１１２に固定ボルト１１４ａ（図４参照）で固定される。なお、立柱取り付け棒１１４は、右傾斜柱１１１及び左傾斜柱１１２に対して、回転可能に取り付けられる。
【００４０】
図４に示すように、筋交い１１５は、外側柱１１５ａ及び内側柱１１５ｂにより構成されている。外側柱１１５ａは、一つの固定孔（図示せず）を有している。また、内側柱１１５ｂは、複数の調節孔１１５ｃを有している。外側柱１１５ａは、内側柱１１５ｂの一部を内部に収納する。これにより、筋交い１１５の長さを調節することができる。なお、筋交い１１５の長さの調節及びその固定は、外側柱１１５ａの固定孔と、内側柱１１５ｂの調節孔１１５ｃの一つとが合うように外側柱１１５ａ及び内側柱１１５ｂを位置させて、合わせた固定孔と調節孔１１５ｃに固定ボルト１１５ｄを貫通させることにより行う。
【００４１】
筋交い１１５の外側柱１１５ａは、立柱１１３の内側柱１１３ｂの下端に設けられたアングル状の凸部１１３ｅに固定されている。筋交い１１５の外側柱１１５ａは、立柱１１３の凸部１１３ｅに取り付けられる際に、筋交い１１５の外側柱１１５ａに設けられた固定孔（図示せず）と、立柱１１３の内側柱１１３ｂの凸部１１３ｅに設けられた固定孔（図示せず）とを合わせ、合わせた固定孔に固定ボルト１１５ｄを貫通させて、外側柱１１５ａと凸部１１３ｅとを固定する。なお、筋交い１１５の外側柱１１５ａは、立柱１１３の内側柱１１３ｂに対して、回転可能に取り付けられる。
【００４２】
図３に示すように、筋交い１１５の内側柱１１５ｂは、一端に、筋交い取付け棒１１６を貫通させるための孔を有している。筋交い取付け棒１１６は、筋交い１１５の内側柱１１５ｂに設けられた孔を貫通し、筋交い１１５の内側柱１１５ｂに固定される。
【００４３】
また、筋交い取付け棒１１６は、右傾斜柱１１１及び左傾斜柱１１２に設けられた筋交い取付け棒用孔（図示せず）を介して、右傾斜柱１１１及び左傾斜柱１１２に固定される。なお、筋交い取付け棒１１６は、右傾斜柱１１１及び左傾斜柱１１２に対して、回転可能に取り付けられる。
【００４４】
図２に示すように、腰椎矯正装置１は、前固定棒１１７及び後固定棒１１８によって、床面に対して固定される。前固定棒１１７は、外側パイプ１１７ａ、内側パイプ１１７ｂ、及び固定ゴム１１７ｃにより構成されている。外側パイプ１１７ａは、内側パイプ１１７ｂの一部を内部に収納する。これにより、前固定棒１１７の長さを調節することができる。内側パイプ１１７ｂは、外側パイプ１１７ａに収納される側の端部とは反対側の端部に固定ゴム１１７ｃを有している。これにより、腰椎矯正装置１を設置面に対して固定する。
【００４５】
また、図５に示すように、後固定棒１１８は、外側パイプ１１８ａ、内側パイプ１１８ｂ、及び固定ゴム１１８ｃにより構成されている。外側パイプ１１８ａは、内側パイプ１１８ｂの一部を内部に収納する。これにより、後固定棒１１８の長さを調節することができる。内側パイプ１１８ｂは、外側パイプ１１８ａに収納される側の端部とは反対側の端部に固定ゴム１１８ｃを有している。これにより、腰椎矯正装置１を設置面に対して固定する。なお、図２〜図５においては、前固定棒１１７の長さよりも、後固定棒１１８の長さが長くなるように設定している。
【００４６】
２．２．ベッド部材１３
ベッド部材１３の構成を図４に基づき説明する。ベッド部材１３は、人間の身体を載置するための部材である。ベッド部材１３は、ベッド１３１、及びベッド固定金具１３３を有している。
【００４７】
ベッド１３１は、マットレスと当該マットレスの形状を固定するフレームにより構成されている。なお、図４及び図２においては、マットレスとフレームとが一体となったベッド１３１として表している。また、フレームは、左右上下端付近に、ベッド固定金具１３３を有している。ベッド固定金具１３３は、中央付近にベッド固定用孔（図示せず）を有している。ベッド１３１のベット固定用孔（図示せず）を、左傾斜柱１１２及び右傾斜柱１１１に設けられるベッド固定用孔に合わせ、固定ボルト１３５で固定することによって、ベッド１３１を左傾斜柱１１２及び右傾斜柱１１１に固定する。
【００４８】
２．３．滑り止めシート１４
滑り止めシート１４を図２に基づき説明する。滑り止めシート１４は、ベッド１３１に載置された人間の身体を、摩擦力によって当該ベット１３１に固定するための部材である。
滑り止めシート１４は、ベッド１３１の人間を載置する側の面に設けられる。また、滑り止めシート１４は、人間の身体がベット１３１に載置されたときに、ベット１３１に接する領域、つまり、上半身の背中側、肩から背中に対応する領域に設けられる。このように、ベット１３１における人間の身体の背中側、肩から背中に対応する領域に滑り止めシート１４を設けることによって、より広い面積で人間の身体と接することが可能となるので、大きな摩擦力を発生させることが可能となる。滑り止めシート１４をベット１３１における人間の身体の背中側、肩から背中に対応する領域に設けることによって、人間の身体をベット１３１に固定するための力をより多く得ることが可能となる。
【００４９】
２．４．固定部材１５
固定部材１５の構成を図２に基づき説明する。固定部材１５は、人間の身体を頭部側が斜め上方に向かうようにベッド１３１に固定するための部材である。
【００５０】
固定部材１５は、３本の固定ベルト１５１、２つの固定帯１５３を有している。さらに、各ベルト１５１は、右ベルト１５１ａ、左ベルト１５１ｂ、ベルト金具１５１ｃ、及び面ファスナー１５１ｄ（図示せず）を有している。図６Ｃに示すように、右ベルト１５１ａは、一端に、フレーム部材１１の右傾斜柱１１１に直接的に取り付けるための固定孔１５１ｆを有している。また、右ベルト１５１ａは、固定孔１５１ｆを有する端部とは異なる端部付近に面ファスナー１５１ｄを、さらに、面ファスナー１５１ｄから固定孔１５１ｆ側に向かって所定の間隔をあけて配置される面ファスナー１５１ｅを有している。
【００５１】
図６Ｂに示すように、左ベルト１５１ｂも、一端に、フレーム部材１１の左傾斜柱１１２に直接的に取り付けるための固定孔１５１ｇを有している。また、左ベルト１５１ｂは、固定孔１５１ｇを有する端部とは異なる端部に、ベルト金具１５１ｃを有している。右ベルト１５１ａの面ファスナー１５１ｄが配置されている端部を、左ベルト１５１ｂのベルト金具１５１ｃに通した後に折り返し、面ファスナー１５１ｄと面ファスナー１５１ｅとを合わせることによって、右ベルト１５１ａと左ベルト１５１ｂとを接続する。
【００５２】
図２に示すように、固定帯１５３は、右固定帯１５３ａ及び左固定帯１５３ｂを有している。図６Ｃに示すように、右固定帯１５３ａは、３本の右ベルト１５１ａを横断し、かつ、図６Ｄに示すように、当該３本の右ベルト１５１ａを表と裏から挟み込むように配置される。図６Ｂに示すように、左固定帯１５３ｂも、３本の左ベルト１５１ｂを横断し、かつ、図６Ａに示すように、当該３本の左ベルト１５１ｂを表と裏から挟み込むように配置される。右固定帯１５３ａは、右ベルト１５１ａと左ベルト１５１ｂとを接続したときに、ベット１３１上の人間の身体の右の脇の下の肋骨付近に接触するように配置される。つまり、右固定帯１５３ａは、ベット１３１上の人間の身体を、右の脇の下の肋骨付近で、ベット１３１に固定する。左固定帯１５３ｂについても、右固定帯１５３ａと同様に、ベット１３１上の人間の身体を、左の脇の下の肋骨付近で、ベット１３１に固定する。このように、人間の身体を脇の下の肋骨付近でベット１３１に固定することによって、人間に不快感を与えることなく、ベット１３１に固定することができる。なお、右固定帯１５３ａ及び左固定帯１５３ｂは、ウレタンパッドで構成されている。したがって、人間の身体をベット１３１に固定する際に、固定に伴う不快感、苦痛間を与えないようにすることができる。
【００５３】
２．５． 補助取っ手部材１７
補助取っ手部材１７の構成を図４に基づき説明する。補助取っ手部材１７は、ベット１３１へ乗り降りを補助するための部材である。
【００５４】
補助取っ手部材１７は、取っ手パイプ１７１、及び把持ウレタン１７３を有している。図２に示すように、取っ手パイプ１７１は、右傾斜柱１１１及び左傾斜柱１１２において、両端部において固定ボルト１７５で固定される。また、取っ手パイプ１７１は、ベット１３１に人間が載置された際に、当該人間が把持しやすい位置に固定される。把持ウレタン１７３は、パイプ１７１に取り付けられる。
【００５５】
２．６． 足置き部材１９
足置き部材１９の構成を図２に基づき説明する。足置き部材１９は、ベッド１３１への乗り降りを補助するための部材である。
【００５６】
足置き部材１９は、足置き台１９１、固定軸１９３、回転装置１９５、リンク棒１９７、把持棒１９８、及びロック棒１９９を有している。足置き台１９１は、固定軸１９３に固定されている。固定軸１９３は、右傾斜柱１１１及び左傾斜柱１１２を橋渡しするように、当該右傾斜柱１１１及び左傾斜柱１１２に回転可能に取り付けられている。回転装置１９５は、内部に機械機構を有しており、把持棒１９８の操作によるリンク棒１９７を介した足置き台１９１の回転動作を行う。図６に示すように、回転装置１９５は、把持棒１９８の矢印Ａ１方向への操作をリンク棒を介して受け取ると、足置き台１９１を右傾斜柱１１１及び左傾斜柱１１２に対して垂直に固定された位置（以下、足置き台１９１の基本位置とする。）から矢印Ａ３方向へ回転させて、右傾斜柱１１１及び左傾斜柱１１２に対して平行な位置（以下、足置き台１９１の解除位置とする。）に移動させる。また、回転装置１９５は、矢印Ａ３方向へ操作された把持棒１９８に対する矢印Ａ５方向への操作をリンク棒を介して受け取ると、足置き台１９１を解除位置から矢印Ａ７方向へ回転させて、基本位置とする。これにより、ベット１３１へ乗る際には基本位置にある足置き台１９１を利用することが可能となり、また、ベット１３１へ乗っている間には足置き台１９１を解除位置として足裏から足置き台１９１を外し、固定部材１５及び滑り止めシート１４によって身体をベット１３１に固定することが可能となる。
【００５７】
ロック棒１９９は、図４の位置がロック棒１９９の基本位置である。ロック棒１９９が基本位置にある場合には、把持棒１９８は、操作できない。ロック棒１９９は、矢印Ａ１１方向へ移動させられると、把持棒１９８の操作が可能となり、足置き台１９１の基本位置から解除位置へ、また、解除位置から基本位置への操作が可能となる。
【００５８】
３．腰椎矯正装置１の使用方法
腰椎矯正装置１の使用法を用いて説明する。まず、腰椎矯正装置１を使用しようとする者（以下、使用者とする。）は、使用に先立って、腰椎矯正装置１の高さ、ベット１３１の傾斜角度等の調節を行う。なお、ベット１３１の傾きについては、設置面に対して４５度付近が最適と考えられるが、個人によって３０度〜６０度の範囲で調節すればよい。角度が大きくなるほど、自らの自重に基づく足底方向への引っ張り力を大きくすることができるので、腰椎の矯正に利用できる力は大きくなり、より大きな効果を得ることができる。その一方で、固定ベルト１５１によって身体を固定する力も大きくする必要があるため、よりきつく固定ベルト１５１を締めることが必要となる。このため、身体に対する負担が大きくなる。したがって、腰椎矯正の効果と身体に対する負担とを比較考量して、使用者自身で最適なベットの傾斜角度を決定すればよい。
【００５９】
使用者は、腰椎矯正装置１を使用する際には、足置き台１９１が基本位置にある状態で、当該足置き台１９１に足をかけて、ベット１３１へ乗る。これにより、ベット１３１へ容易に乗ることが可能となる。
【００６０】
そして、使用者は、ベット１３１に横たわり、固定ベルト１５１を用いて自らの身体をベット１３１へ固定する。この際、固定帯１５３ａ、１５３ｂを脇の下から肋骨あたりに位置するように固定ベルト１５１の位置決めを行う。
【００６１】
使用者は、固定ベルト１５１による固定が終了すると、ロック棒１９９を握ってロックを解除し、さらに、把持棒１９８を操作して、足置き台１９１を解除位置まで回転させる。これにより、使用者は、固定ベルト１５１及び滑り止めシート１４による身体の固定で、自らの身体をベット１３１へ固定することができる。つまり、使用者は、自らの自重によって、腰椎を下方向へ引っ張ることが可能となる。
【実施例２】
【００６２】
１．腰椎矯正装置３の構成
本考案に係る骨格矯正装置の他の実施形態の一つである腰椎矯正装置３の構成を説明する。腰椎矯正装置３は、基本的構成については実施例１における腰椎矯正装置１と同じである。但し、固定部材１５の構成が実施例１とは異なる。以下において、腰椎矯正装置３における固定部材３５について図７を用いて説明する。なお、以下においては、実施例１における腰椎矯正装置１と同様の構成については、実施例１における符号と同じ符号を付している。また、図７においては、左固定帯１５１ｂの一部が省略されている。
【００６３】
固定部材３５は、実施例１における固定部材１５の固定ベルト１５１の右ベルト１５１ａ、左ベルト１５１ｂの一部が金属等の形状が固定される材料により構成されている。このように、固定ベルトの一部を形状が固定される材料により構成することによって、使用者は、当該形状が固定されている部分を支えとして利用することができるので、腰椎矯正装置３を長時間使用することが可能となる。
【００６４】
固定部材３５は、３本のベルト付き固定枠３５１、２つの右固定帯１５３を有している。ベルト付き固定枠３５１は、右ベルト３５１ａ、左ベルト３５１ｂ、右固定枠３５１ｃ、左固定枠３５１ｄ、及びベルト金具１５１ｃを有している。
【００６５】
左固定枠３５１ｄは、金属製の矩形枠で構成されており、身体の肋骨の形状に沿うアーチ形状を有している。また、左固定枠３５１ｄは、端部に左傾斜柱１１２に固定するための固定孔３５１ｇを有している。固定孔３５１ｇは、実施例１における左ベルト１５１ｂの固定孔１５１ｇに対応する。さらに、左固定枠３５１ｄは、固定孔３５１ｇを有する端部とは異なる端部に左ベルト３５１ｂを固定するためのベルト固定孔３５１ｈを有している。
【００６６】
左ベルト３５１ｂは、一端を左固定枠３５１ｄの固定孔３５１ｈに通して、左固定枠３５１ｄと接続される。また、左固定枠３５１ｄは、他の一端をベルト金具１５１ｃに通して、ベルト金具１５１ｃと接続される。
【００６７】
右固定枠３５１ｃ及び右ベルト３５１ａについても、左固定枠３５１ｄ及び左ベルト３５１ｂと同様である。なお、右ベルト３５１ａは、実施例１における右ベルト１５１ａと同様に、一端にオス・メス一対の面ファスナー（図示せず）を有している。当該面ファスナーによって、右ベルト３５１ａと左ベルト３５１ｂとを接続する。
【００６８】
右固定帯１５３ａ及び左固定帯１５３ｂについては、実施例１と同様である。但し、右固定帯１５３ａは、３本の右固定枠３５１ｃを横断するように配置される。また、左固定帯１５３ｂも、同様に、３本の左固定枠３５１ｄを横断するように配置される。
【００６９】
このように、肋骨の形状に沿うアーチ上を有し、かつ、固定形状を有する右固定枠３５１ｃ、左固定枠３５１ｄを設けることによって、容易に人間をベットに固定することができる。なぜならば、ベットに固定される人間は右固定枠３５１ｃ及び左固定枠３５１ｄによって脇の下付近で支えることが可能となるからである。
【実施例３】
【００７０】
１．腰椎矯正装置５の構成
本考案に係る骨格矯正装置の他の実施形態の一つである腰椎矯正装置５の構成を説明する。腰椎矯正装置５は、基本的構成については実施例１における腰椎矯正装置１、実施例２における腰椎矯正装置３と同じである。但し、腰椎矯正装置５においては、実施例１、実施例２で設けられていた固定部材１５が設けられていない。以下において、腰椎矯正装置５について図８を用いて説明する。なお、以下においては、実施例１における腰椎矯正装置１と同様の構成については、実施例１における符号と同じ符号を付している。
【００７１】
腰椎矯正装置５では、固定部材が設けられていない。したがって、滑り止めシート１４による摩擦力によって、人間の身体をベット１３１へ固定する。このように固定部材１５を設けないことによって、簡易な構成で腰椎矯正装置５を構成することが可能となる。
【００７２】
［その他の実施例］
（１）載置面
前述の実施例１〜実施例３においては、載置面を形成するベット１３１は、設置面に対して傾斜する構成としていた。しかし、設置面に対して垂直とするようにしてもよい。これにより、使用者の自重を、全て骨格を下方へ引っ張る力として使用することができるので、より効果的な腰椎矯正が可能となる。
【００７３】
（２）固定ベルト１５１、ベルト付き固定枠３５１
前述の実施例１においては３本の固定ベルト１５１を、前述の実施例２においては３本のベルト付き固定枠３５１を、それぞれ設けたが、身体を載置面に固定できるものであれば、その数は例示のものに限定されない。
【００７４】
（３）固定帯１５３
前述の実施例１においては、３本の固定ベルト１５１を横断するように固定帯１５３を設けたが、１本の固定ベルト１５１に１つの固定帯１５３を設けるようにしてもよい。また、固定帯１５３を設けないようにしてもよい。前述の実施例２におけるベルト付き固定枠３５１についても、同様である。
【００７５】
（４）固定位置
前述の実施例１〜実施例３においては、脇の下の肋骨付近で、身体を載置面に固定するとしたが、身体を載置面に固定できる位置であれば、例示のものに限定されない。例えば、上腕の脇の下付近で固定するようにしてもよい。
【００７６】
（５）滑り止めシート１４
前述の実施例１及び実施例２においては、固定ベルト１５１及びベルト付き固定枠３５１と合わせて滑り止めシート１４を設置することとしたが、いずれか一方を設けるようにしてもよい。
【００７７】
また、前述の実施例１〜実施例３においては、滑り止め部材として滑り止めシート１４を用いたが、身体の下方若しくは斜め下方への滑りを防止することができるものであれば、例示のものに限定されない。たとえば、粘着シート等であってもよい。
【００７８】
さらに、滑り止め部材として、例えば、図９に示すようなＴシャツ上の着物７４の背中側に、ゴムシート、粘着シート等の滑り止め７４ａを設けたものを利用するようにしてもよい。なお、図９に示す着物７４については、滑り止めシート１４の代わりとして用いてもよく、また、滑り止めシート１４と合わせて用いるようにしてもよい。
【００７９】
さらに、図９に示す着物７４を用いる場合に、面ファスナーを用いるようにしてもよい。この場合、着物７４側にオス側の面ファスナーを用いるのであれば、滑り止めシート１４としてメス側の面ファスナーを用いればよい。
【００８０】
（６）補助取っ手部材１７、足置き部材１９
前述の実施例１〜実施例３においては、補助取っ手部材１７及び足置き部材１９を設置するとしたが、設置しなくともよい。
【００８１】
（７）骨格と腰椎
前述の実施例１〜実施例３においては、骨格矯正装置として腰椎矯正装置１、３、５を例示したが、骨格を矯正できるものであれば例示のものに限定されない。例えば、骨盤のゆがみ等を矯正するものであってもよい。なお、腰椎矯正装置１、３、５においても、腰椎を矯正する他に、骨盤のゆがみ等を矯正する効果を奏することもある。
【符号の説明】
【００８２】
１・・・腰椎矯正装置
１１・・・フレーム部材
１１１・・・右傾斜柱
１１２・・・左傾斜柱
１１３・・・立柱
１１３ａ・・・外側柱
１１３ｂ・・・内側柱
１１３ｃ・・・調節孔
１１３ｄ・・・固定ボルト
１１３ｅ・・・凸部
１１４・・・立柱取り付け棒
１１５・・・筋交い
１１５ａ・・・外側柱
１１５ｂ・・・内側柱
１１５ｃ・・・調節孔
１１５ｄ・・・固定ボルト
１１６・・・筋交い取付け棒
１１７・・・前固定棒
１１７ａ・・・外側パイプ
１１７ｂ・・・内側パイプ
１１７ｃ・・・固定ゴム
１１８・・・後固定棒
１１８ａ・・・外側パイプ
１１８ｂ・・・内側パイプ
１１８ｃ・・・固定ゴム
１３・・・ベッド部材
１３１・・・ベッド
１３３・・・取付け金具
１３５・・・固定ボルト
１４・・・滑り止めシート
１５・・・固定部材
１５１・・・固定ベルト
１５１ａ・・・右ベルト
１５１ｂ・・・左ベルト
１５１ｃ・・・ベルト金具
１５１ｄ・・・面ファスナー
１５１ｅ・・・面ファスナー
１５１ｆ・・・固定孔
１５１ｇ・・・固定孔
１５３・・・固定帯
１５３ａ・・・右固定帯
１５３ｂ・・・左固定帯
１７・・・補助取っ手部材
１７１・・・取っ手パイプ
１７３・・・把持ウレタン
１７５・・・固定ボルト
１９・・・足置き部材
１９１・・・足置き台
１９３・・・固定軸
１９５・・・回転装置
１９７・・・リンク棒
１９８・・・把持棒
１９９・・・ロック棒
３５１・・・ベルト付き固定枠
３５１ａ・・・右ベルト
３５１ｂ・・・左ベルト
３５１ｃ・・・右固定枠
３５１ｄ・・・左固定枠
３５１ｅ・・・固定孔
３５１ｆ・・・固定孔
３５１ｇ・・・固定孔
３５１ｈ・・・固定孔
【図１】
0003182315.tif 000003
【図２】
0003182315.tif 000004
【図３】
0003182315.tif 000005
【図４】
0003182315.tif 000006
【図５】
0003182315.tif 000007
【図６】
0003182315.tif 000008
【図７】
0003182315.tif 000009
【図８】
0003182315.tif 000010
【図９】
0003182315.tif 000011
【図１０】
0003182315.tif 000012